(57)【要約】本開示は、例えば、多段階半導体製造プロセスにおいて中間工程として半導体基板からタングステン（Ｗ）及び／又は窒化チタン（ＴｉＮ）を選択的に除去するために有用なエッチング組成物に関する。【特許請求の範囲】
【請求項１】
エッチング組成物であって、
前記組成物の約６５重量％〜約９０重量％の量のリン酸と、
前記組成物の約０．０１重量％〜約４重量％の量の酢酸と、
前記組成物の約０．０１重量％〜約５重量％の量の硝酸と、
水と、
を含む、エッチング組成物。
【請求項２】
前記リン酸が、前記組成物の約７０重量％〜約８５重量％の量で存在する、請求項１に記載の組成物。
【請求項３】
前記リン酸が、前記組成物の約７２重量％〜約７６重量％の量で存在する、請求項１に記載の組成物。
【請求項４】
前記酢酸が、前記組成物の約０．１重量％〜約３．５重量％の量で存在する、請求項１に記載の組成物。
【請求項５】
前記酢酸が、前記組成物の約０．３重量％〜約０．７重量％の量で存在する、請求項１に記載の組成物。
【請求項６】
前記硝酸が、前記組成物の約０．０５重量％〜約４重量％の量で存在する、請求項１に記載の組成物。
【請求項７】
前記硝酸が、前記組成物の約０．３重量％〜約０．７重量％の量で存在する、請求項１に記載の組成物。
【請求項８】
前記水が、前記組成物の約１０重量％〜約３０重量％の量で存在する、請求項１に記載の組成物。
【請求項９】
Ｓｂをさらに含む、請求項１に記載の組成物。
【請求項１０】
前記Ｓｂが、前記組成物の約１ｐｐｂ〜約１００ｐｐｂの量で存在する、請求項９に記載の組成物。
【請求項１１】
Ｃｕ、Ｋ、Ｃａ、Ｎａ、Ｆｅ、Ｐｂ、Ｓｒ、Ａｓ、Ｎｉ、Ｍｎ、Ｍｇ、およびＬｉからなる群から選択される１種または複数種の金属元素をさらに含む、請求項９に記載の組成物。
【請求項１２】
前記Ｓｂの量が、Ｃｕ、Ｋ、Ｃａ、Ｐｂ、Ｓｒ、Ａｓ、Ｎｉ、Ｍｎ、Ｍｇ、およびＬｉの各々の量よりも多い、請求項９に記載の組成物。
【請求項１３】
前記Ｓｂの量が、ＮａおよびＦｅの各々の量よりも多い、請求項９に記載の組成物。
【請求項１４】
少なくとも１種の金属腐食防止剤をさらに含む、請求項１に記載の組成物。
【請求項１５】
前記少なくとも１種の金属腐食防止剤が、式（Ａ）の化合物、式（Ｂ）の化合物、式（Ｃ）の化合物、または置換テトラゾールを含む、請求項１４に記載の組成物：
【化１】
2022502835.tif 000014
式中、
Ｒ１Ａ〜Ｒ５Ａは、それぞれ独立に、水素原子、置換もしくは非置換の炭化水素基、ヒドロキシル基、チオール基、カルボキシ基、または置換もしくは非置換のアミノ基であり、但し、ヒドロキシル基、カルボキシ基、および置換もしくは非置換のアミノ基から選択される少なくとも１つの基が式（Ａ）に含まれており、
Ｒ１Ｂ〜Ｒ４Ｂは、それぞれ独立に、水素原子、ヒドロキシル基、または置換もしくは非置換の炭化水素基であり、
Ｒ１Ｃ、Ｒ２ＣおよびＲＮは、それぞれ独立に、水素原子または置換もしくは非置換の炭化水素基であるか、または、Ｒ１ＣおよびＲ２Ｃは、それらが結合している炭素原子と共に、環を形成している。
【請求項１６】
前記少なくとも１種の金属腐食防止剤が、前記組成物の約０．０００１重量％〜約１重量％の量で存在する、請求項１４に記載の組成物。
【請求項１７】
約０．１μｍ〜約１μｍの平均サイズを有する複数の粒子をさらに含む、請求項１に記載の組成物。
【請求項１８】
前記複数の粒子が、前記組成物の最大で約１５０個／ｍｌの量で存在する、請求項１７に記載の組成物。
【請求項１９】
少なくとも１種のアルミニウムエッチング界面活性剤をさらに含む、請求項１に記載の組成物。
【請求項２０】
前記少なくとも１種のアルミニウムエッチング界面活性剤が、式（Ｄ）：Ｒ−Ｎ（ＣＨ３）２−Ｏ（Ｄ）（ＲはＣ８−Ｃ２４アルキルである）の化合物を含む、請求項１９に記載の組成物。
【請求項２１】
前記少なくとも１種のアルミニウムエッチング界面活性剤が、前記組成物の約０．０００１重量％〜約１重量％の量で存在する、請求項１９に記載の組成物。
【請求項２２】
前記組成物が、リン酸、酢酸、硝酸、および水のみからなる、請求項１に記載の組成物。
【請求項２３】
ＡｌＯｘ、ＷまたはＴｉＮを含む半導体基板を請求項１〜請求項２２のいずれか１項に記載の組成物と接触させて前記ＡｌＯｘ、ＷまたはＴｉＮを除去することを含む、方法。
【請求項２４】
前記接触させる工程の後に、前記半導体基板をリンス溶媒でリンスすることをさらに含む、請求項２３に記載の方法。
【請求項２５】
前記リンスする工程の後に、前記半導体基板を乾燥させることをさらに含む、請求項２４に記載の方法。
【請求項２６】
前記方法が、前記半導体基板上のＣｕまたは誘電体材料を実質的に除去しない、請求項２３に記載の方法。
【請求項２７】
前記方法が、ＷまたはＴｉＮに対してＡｌＯｘを選択的にエッチングする、請求項２３に記載の方法。
【請求項２８】
請求項２３に記載の方法によって形成された物品であって、半導体デバイスである物品。
【請求項２９】
前記半導体デバイスが集積回路である、請求項２８に記載の物品。
【発明の詳細な説明】
【技術分野】
【０００１】
関連出願の相互参照
本出願は２０１８年９月１２日に出願された米国仮出願第６２／７３０，０４３号の優先権を主張し、その内容は、その全体が参照により本明細書に組み込まれる。
開示の分野
本開示は、金属導体、バリア材料、絶縁体材料（例えば、高ｋ誘電体材料）などの他の露出したまたは下にある材料の存在下で、酸化アルミニウム（Ａｌ２Ｏ３などのＡｌＯｘ）、タングステン（Ｗ）および／または窒化チタン（ＴｉＮ）を選択的にエッチングするための組成物およびプロセスに関する。
【背景技術】
【０００２】
半導体産業は、超小型電子デバイス、シリコンチップ、液晶ディスプレイ、ＭＥＭＳ（Ｍｉｃｒｏ  Ｅｌｅｃｔｒｏ  Ｍｅｃｈａｎｉｃａｌ  Ｓｙｓｔｅｍｓ）、プリント配線板、ＮＡＮＤフラッシュメモリ等における電子回路及び電子部品の寸法を急速に減少させ、密度を増加させている。それらの内部の集積回路は、各回路層の間の絶縁層の厚さを絶えず減少させ、一層より小さいフィーチャサイズで、積層されている。フィーチャサイズが縮小するにつれて、パターンはより小さくなり、デバイス性能パラメータはより厳しく、よりロバストになっている。その結果、より小さいフィーチャサイズのために、以前に許容され得た様々な問題はもはや許容され得ないか、または、より問題になっている。
【０００３】
先端的集積回路の生産において、より高い密度に関連する問題を最小化し、性能を最適化するために、高ｋ絶縁体と低ｋ絶縁体の両方、および種々のバリア層材料が採用されてきた。
【０００４】
半導体デバイス、液晶ディスプレイ、ＮＡＮＤフラッシュメモリ、ＭＥＭＳ（Ｍｉｃｒｏ  Ｅｌｅｃｔｒｏ  Ｍｅｃｈａｎｉｃａｌ  Ｓｙｓｔｅｍｓ）、プリント配線板などには、酸化アルミニウム（Ａｌ２Ｏ３などのＡｌＯｘ）、タングステン（Ｗ）、窒化チタン（ＴｉＮ）が利用され、貴金属のグランド層やキャップ層として利用されている。半導体デバイスでは、ＷとＴｉＮをバリアメタル、ハードマスク、あるいはゲート材料として、ＡｌＯｘを誘電体材料として、用いることができる。
【０００５】
これらの用途のためのデバイスの構築において、ＡｌＯｘ、ＷおよびＴｉＮはしばしば、同じエッチング工程でエッチングされる必要がある。ＡｌＯｘ、ＷおよびＴｉＮの種々のタイプの使用およびデバイス環境において、これらの材料がエッチングされるのと同時に、他の層が接触されるかまたは露出される。これらの他の材料（例えば、金属導体、誘電体、およびハードマーク）の存在下でのＡｌＯｘ、Ｗ、およびＴｉＮの高度に選択的なエッチングは、デバイスの歩留まりおよび長寿命のために必要である。ＡｌＯｘ、ＷおよびＴｉＮのためのエッチングプロセスは、プラズマエッチングプロセスであってもよい。しかしながら、ＡｌＯｘ、ＷおよびＴｉＮ層上にプラズマエッチングプロセスを使用すると、ゲート絶縁層および半導体基板のいずれかまたは両方に損傷を生じさせる可能性がある。加えて、エッチングプロセスは、ゲート電極によって露出されたゲート絶縁層をエッチングすることによって、半導体基板の一部を除去し得る。トランジスタの電気的特性は、負の影響を受ける可能性がある。そのようなエッチング損傷を回避するために、追加の保護デバイス製造工程を使用することができるが、かなりのコストがかかる。
【０００６】
ＡｌＯｘ、ＷおよびＴｉＮの湿式エッチング法が知られている。そのような方法は、他の試薬と組み合わせたエッチング剤の使用を含み得る。しかし、シリコンベースの誘電体および他の高ｋ誘電体材料（ＨｆＯｘ）との選択性は十分ではなく、デバイス内の他の露出した金属も腐食またはエッチングを受ける可能性がある。
【０００７】
したがって、エッチングプロセスの際に、高いＡｌＯｘ、ＷまたはＴｉＮエッチング速度を有するが、露出したまたはＡｌＯｘ、ＷもしくはＴｉＮと接触した他の半導体材料に対して低いエッチング速度および腐食速度を有するエッチング液が必要である。
【発明の概要】
【０００８】
本開示は、半導体デバイス内に存在する金属導体層、ハードマスク層、および低ｋ誘電体層に対して、ＡｌＯｘ、Ｗおよび／またはＴｉＮを選択的にエッチングするための組成物およびプロセスに関する。より具体的には、本開示は、Ｗおよび／またはＴｉＮに対してＡｌＯｘを選択的にエッチングするための組成物およびプロセス、ならびに／または、特定の高ｋ誘電体層および／または低ｋ誘電体層に対してＷおよび／またはＴｉＮを選択的にエッチングするための組成物およびプロセスに関する。
【０００９】
一態様では、本開示は、ａ）組成物の約６５重量％〜約９０重量％の量のリン酸と、ｂ）組成物の約０．０１重量％〜約４重量％の量の酢酸と、ｃ）組成物の約０．０１重量％〜約５重量％の量の硝酸と、ｄ）水と、を含むエッチング組成物を特徴とする。
【００１０】
別の態様では、本開示は、ＡｌＯｘ、Ｗおよび／またはＴｉＮを含む半導体基板を本明細書に記載のエッチング組成物と接触させてＡｌＯｘ、Ｗおよび／またはＴｉＮを除去することを含む方法を特徴とする。
【００１１】
さらに別の態様では、本開示は、半導体デバイス（例えば、集積回路）である、上述の方法によって形成された物品を特徴とする。
【発明を実施するための形態】
【００１２】
本明細書で定義されるように、特に断らない限り、表される全てのパーセンテージは、組成物の総重量に対する重量パーセンテージであると理解されるべきである。特に断らない限り、周囲温度は、約１６〜約２７℃であると定義される。
【００１３】
一般に、本開示は、（ａ）組成物の約６５重量％〜約９０重量％の量のリン酸、（ｂ）組成物の約０．０１重量％〜約４重量％の量の酢酸、（ｃ）組成物の約０．０１重量％〜約５重量％の量の硝酸、および（ｄ）水を含む（例えば、を含む、から実質的になる、または、からなる）エッチング組成物（例えば、タングステンおよび／または窒化チタンを選択的に除去するためのエッチング組成物）を特徴とする。いくつかの実施形態では、エッチング組成物は、リン酸、酢酸、硝酸からなることができ、またはリン酸、酢酸、硝酸、および水からなることができる。
【００１４】
いくつかの実施形態では、リン酸は、本開示のエッチング組成物の少なくとも約６５重量％（例えば、少なくとも約６６重量％、少なくとも約６７重量％、少なくとも約６８重量％、少なくとも約６９重量％、少なくとも約７０重量％、少なくとも約７１重量％、少なくとも約７２重量％、少なくとも約７３重量％、少なくとも約７４重量％、少なくとも約７５重量％、少なくとも約８０重量％、または少なくとも約８５重量％）から最大で約９０重量％（例えば、最大で約８９重量％、最大で約８８重量％、最大で約８７重量％、最大で約８６重量％、最大で約８５重量％、最大で約８４重量％、最大で約８３重量％、最大で約８２重量％、最大で約８１重量％、最大で約８０重量％、最大で約７９重量％、最大で約７８重量％、最大で約７７重量％、最大で約７６重量％、または最大で約７５重量％）の量で存在する。理論に束縛されることを望むものではないが、リン酸はエッチングプロセス中に半導体基板上のＡｌＯｘ、Ｗ及び／又はＴｉＮの除去を容易にし、強化することができると考えられる。
【００１５】
いくつかの実施態様では、酢酸は、本開示のエッチング組成物の少なくとも約０．０１重量％（例えば、少なくとも約０．０５重量％、少なくとも約０．１重量％、少なくとも約０．２重量％、少なくとも約０．３重量％、少なくとも約０．４重量％、少なくとも約０．５重量％、少なくとも約１重量％、少なくとも約１．５重量％、少なくとも約２重量％、少なくとも約２．２重量％、少なくとも約２．４重量％、少なくとも約２．５重量％、少なくとも約２．６重量％、少なくとも約２．８重量％、少なくとも約３重量％、少なくとも約３．２重量％）から最大で約４重量％（例えば、最大で約３．８重量％、最大で約３．６重量％、最大で約３．５重量％、最大で約３．４重量％、最大で約３．２重量％、最大で約３重量％、最大で約２．８重量％、最大で約２．６重量％、最大で約２．５重量％、最大で約２重量％、最大で約１．５重量％、最大で約１重量％、最大で約０．９重量％、最大で約０．８重量％、最大で約０．７重量％、最大で約０．６重量％、または最大で約０．５重量％）の量で存在する。理論に束縛されることを望むものではないが、酢酸はエッチングプロセス中に露出される他の材料（例えば、高ｋまたは低ｋ誘電体材料）に対するＡｌＯｘ、ＴｉＮおよびＷのエッチング選択性を制御することができると考えられる。
【００１６】
いくつかの実施形態において、硝酸は、本開示のエッチング組成物の少なくとも約０．０１重量％（例えば、少なくとも約０．０２重量％、少なくとも約０．０４重量％、少なくとも約０．０５重量％、少なくとも約０．０６重量％、少なくとも約０．０８重量％、少なくとも約０．１重量％、少なくとも約０．２重量％、少なくとも約０．３重量％、少なくとも約０．４重量％、少なくとも約０．５重量％、少なくとも約１重量％、少なくとも約１．５重量％、少なくとも約２重量％、少なくとも約２．５重量％、または少なくとも約３重量％）から最大で約５重量％（例えば、最大で約４．５重量％、最大で約４重量％、最大で約３．５重量％、最大で約３重量％、最大で約２．５重量％、最大で約２重量％、最大で約１．６重量％、最大で約１．５重量％、最大で約１重量％、最大で約０．９重量％、最大で約０．８重量％、最大で約０．７重量％、最大で約０．６重量％、最大で約０．５重量％、または最大で約０．１重量％）の量で存在する。理論に束縛されることを望むものではないが、硝酸はＴｉＮおよびＷなどの金属の酸化剤として働くことができ、エッチングプロセス中に露出される他の材料（例えば、高ｋまたは低ｋ誘電体材料）に対するＴｉＮおよびＷのエッチング選択性を制御することができると考えられる。さらに、理論に束縛されることを望むものではないが、エッチング組成物中の酢酸および硝酸の量を特定の比率（例えば、１：１などの、約１．５：１〜１：１．５）に制御することによって、Ｗエッチング速度とＴｉＮエッチング速度とを特定の比率（例えば、約３：１〜約４：１）に調整することができると考えられる。このようなエッチング組成物は、比較的大きな厚さを有するＷ層と、比較的小さな厚さを有するＴｉＮ層とを含む半導体基板に関連して使用するのに好適であり得る。
【００１７】
いくつかの実施形態では、水は、本開示のエッチング組成物の少なくとも約１０重量％（例えば、少なくとも約１２重量％、少なくとも約１４重量％、少なくとも約１５重量％、少なくとも約１６重量％、少なくとも約１８重量％、少なくとも約２０重量％、少なくとも約２１重量％、少なくとも約２２重量％、少なくとも約２３重量％、または少なくとも約２４重量％）から最大で約３０重量％（例えば、最大で約２９重量％、最大で約２８重量％、最大で約２７重量％、最大で約２６重量％、最大で約２５重量％、最大で約２３重量％、最大で約２１重量％、最大で約２０重量％、最大で約１９重量％、最大で約１７重量％、最大で約１５重量％、最大で約１３重量％、または最大で約１１重量％）の量で存在する。
【００１８】
本開示のエッチング組成物は、任意選択で、１種または複数種の任意選択の金属元素を含むことができる。金属元素はエッチング組成物中でイオン形態（例えば、金属イオン）または非イオン形態（例えば、Ｓｂなどの金属）で存在し得る。適切な金属元素の例としては限定されるものではないが、Ｓｂ、Ｃｕ、Ｋ、Ｃａ、Ｎａ、Ｆｅ、Ｐｂ、Ｓｒ、Ａｓ、Ｎｉ、Ｍｎ、Ｍｇ、およびＬｉが挙げられる。いくつかの実施形態では、各金属元素の量が、エッチング組成物の少なくとも約０．１ｐｐｂ（例えば、少なくとも約０．５ｐｐｂ、少なくとも約１ｐｐｂ、少なくとも約２ｐｐｂ、少なくとも約４ｐｐｂ、少なくとも約５ｐｐｂ、少なくとも約６ｐｐｂ、少なくとも約８ｐｐｂ、少なくとも約１０ｐｐｂ、少なくとも約１５ｐｐｂ、少なくとも約２０ｐｐｂ、少なくとも約２５ｐｐｂ、または少なくとも約３０ｐｐｂ）から最大で約１００ｐｐｂ（例えば、最大で約９５ｐｐｂ、最大で約９０ｐｐｂ、最大で約８０ｐｐｂ、最大で約７０ｐｐｂ、最大で約６０ｐｐｂ、最大で約５０ｐｐｂ、最大で約４０ｐｐｂ、または最大で約３０ｐｐｂ）であり得る。いくつかの実施態様において、Ｓｂ元素の量は、Ｃｕ、Ｋ、Ｃａ、Ｎａ、Ｆｅ、Ｐｂ、Ｓｒ、Ａｓ、Ｎｉ、Ｍｎ、Ｍｇ及びＬｉ元素の各々の量よりも多い。エッチング組成物中の金属元素の量は一般に、誘導結合プラズマ質量分析法を使用することによって測定することができる。いくつかの実施形態では、金属元素は、エッチング組成物を調製するために使用される出発材料に関連する不純物である。理論に束縛されることを望むものではないが、金属元素は、エッチングされることを意図しないエッチングプロセス中に露出する特定の金属のエッチングを低減することができる金属エッチング抑制剤として機能することができると考えられる。
【００１９】
いくつかの実施形態では、本開示のエッチング組成物は、任意選択で、少なくとも１種（例えば、２種、３種、または４種）の金属腐食防止剤を含むことができる。適切な金属腐食防止剤の例には、式（Ａ）の化合物、式（Ｂ）の化合物、式（Ｃ）の化合物、または置換テトラゾールが含まれる。
【００２０】
【化１】
2022502835.tif 000002
【００２１】
式（Ａ）において、Ｒ１Ａ〜Ｒ５Ａは、それぞれ独立に、水素原子、置換もしくは非置換の炭化水素基（例えば、Ｃ１−Ｃ１０アルキル基）、ヒドロキシル基、チオール基、カルボキシ基、または置換もしくは非置換のアミノ基であることができ、ただし、ヒドロキシル基、カルボキシ基および置換もしくは非置換のアミノ基から選択される少なくとも１つの基が式（Ａ）に含まれる。式（Ｂ）において、Ｒ１Ｂ〜Ｒ４Ｂはそれぞれ独立に、水素原子、ヒドロキシル基、または置換もしくは非置換の炭化水素基（例えば、Ｃ１−Ｃ１０アルキル基）であり得る。一般式（Ｃ）において、Ｒ１Ｃ、Ｒ２Ｃ及びＲＮはそれぞれ独立して、水素原子または置換もしくは非置換の炭化水素基（例えば、Ｃ１−Ｃ１０アルキル基）であってよく、又は、Ｒ１Ｃ及びＲ２Ｃは、それらが結合する炭素原子と共に、環（例えば、５員環、６員環、又は７員環）を形成している。環は、芳香族または非芳香族（例えば、０〜２つの二重結合を含む）であってよく、Ｏ、Ｎ、またはＳ等の１〜３個の任意のヘテロ原子を含むことができる。環は、少なくとも１つ（例えば、２つ、３つ、または４つ）の置換基、例えば、ヒドロキシル基、または、置換もしくは非置換の炭化水素基（例えば、Ｃ１−Ｃ１０アルキル基）、で置換されていてもよい。適切な金属腐食防止剤の例には、チオグリセロール、カテコール、ピロガロール、ベンゾトリアゾール、および５−メチルベンゾトリアゾールが含まれる。
【００２２】
いくつかの実施形態では、金属腐食防止剤は、エッチング組成物の少なくとも約０．０００１重量％（例えば、少なくとも約０．０００２重量％、少なくとも約０．０００５重量％、少なくとも約０．００１重量％、少なくとも約０．００２重量％、少なくとも約０．００５重量％、少なくとも約０．０１重量％、少なくとも約０．０２重量％、少なくとも約０．０５重量％、少なくとも約０．１重量％、少なくとも約０．２重量％、または少なくとも約０．５重量％）から最大で約１重量％（例えば、最大で約０．９重量％、最大で約０．８重量％、最大で約０．７重量％、最大で約０．６重量％、最大で約０．５重量％、最大で約０．４重量％、最大で約０．３重量％、最大で約０．２重量％、最大で約０．１重量％、最大で約０．０５重量％、または最大で約０．０１重量％）の量で存在する。理論に束縛されることを望むものではないが、上述の金属腐食防止剤はエッチングプロセス中に露出される半導体基板上の他の金属（例えば、Ｃｕ）に対するＡｌＯｘ、Ｗ及び／又はＴｉＮの除去の選択性を改善することができると考えられる。
【００２３】
いくつかの実施形態では、本開示のエッチング組成物は、任意選択で、少なくとも１種（例えば、２種、３種、または４種）のアルミニウムエッチング界面活性剤を含むことができる。適切なアルミニウムエッチング界面活性剤の例には、式（Ｄ）：Ｒ−Ｎ（ＣＨ３）２−Ｏ（Ｄ）（ＲはＣ８−Ｃ２４（例えば、Ｃ１２−Ｃ１８）アルキルである）の化合物が含まれる。適切なアルミニウムエッチング界面活性剤の一例は、ｎ−ドデシル−Ｎ，Ｎ−ジメチルアミン−Ｎ−オキシドである：
【００２４】
【化２】
2022502835.tif 000003
【００２５】
いくつかの実施形態では、アルミニウムエッチング界面活性剤は、エッチング組成物の少なくとも約０．０００１重量％（例えば、少なくとも約０．０００２重量％、少なくとも約０．０００５重量％、少なくとも約０．００１重量％、少なくとも約０．００２重量％、少なくとも約０．００５重量％、少なくとも約０．０１重量％、少なくとも約０．０２重量％、少なくとも約０．０５重量％、少なくとも約０．１重量％、少なくとも約０．２重量％、または少なくとも約０．５重量％）から最大で約１重量％（例えば、最大で約０．９重量％、最大で約０．８重量％、最大で約０．７重量％、最大で約０．６重量％、最大で約０．５重量％、最大で約０．４重量％、最大で約０．３重量％、最大で約０．２重量％、最大で約０．１重量％、最大で約０．０５重量％、または最大で約０．０１重量％）の量で存在する。理論に束縛されることを望むものではないが、アルミニウムエッチング界面活性剤は（例えば、エッチング組成物の表面張力を改善することによって）半導体表面の均一性を改善することができると考えられる。
【００２６】
いくつかの実施形態では、本開示のエッチング組成物は、任意選択で、少なくとも約０．１μｍ（例えば、少なくとも約０．２μｍ、少なくとも約０．３μｍ、少なくとも約０．４μｍ、少なくとも約０．５μｍ、少なくとも約０．６μｍ、または少なくとも約０．８μｍ）から最大で約１μｍ（例えば、最大で約０．９μｍ、最大で約０．８μｍ、最大で約０．７μｍ、最大で約０．６μｍ、最大で約０．５μｍ、最大で約０．４μｍ、最大で約０．２μｍ）の平均サイズ（例えば、平均直径）を有する複数の粒子を含むことができる。いくつかの実施形態では、複数の粒子は、エッチング組成物の最大で約１５０個／ｍｌ（例えば、最大で約１２５個／ｍｌ、最大で約１００個／ｍｌ、最大で約９０個／ｍｌ、最大で約８０個／ｍｌ、最大で約７０個／ｍｌ、最大で約６０個／ｍｌ、最大で約５０個／ｍｌ、最大で約４０個／ｍｌ、最大で約３０個／ｍｌ、最大で約２０個／ｍｌ、または最大で約１０個／ｍｌ）および／または０個／ｍｌ（例えば、少なくとも約５個／ｍｌ）の量で存在する。一般に、粒子サイズ及び粒子数は、Ｒｉｏｎ  ＫＳ−４２Ｂ等の粒子計数器を用いることによって測定することができる。いくつかの実施形態では、粒子は、エッチング組成物を調製するために使用される出発材料に関連する不純物である。理論に束縛されることを望まないが、本明細書に記載されるエッチング組成物中に適切な量（例えば、１０〜１００個／ｍｌ）の粒子を含むことはピッティングまたはスピアヘッドエッチング等の異常なエッチングを抑制し得ると考えられる。他方、理論に束縛されることを望むものではないが、エッチング組成物中に１００個／ｍｌを超える粒子を含むと、半導体基板の表面上に欠陥が生じる可能性があると考えられる。
【００２７】
いくつかの実施形態では、本開示のエッチング組成物は、最大で約１（例えば、最大で約０．９、最大で約０．８、最大で約０．７、最大で約０．６、または最大で約０．５）および／または少なくとも約０（例えば、少なくとも約０．１、少なくとも約０．２、少なくとも約０．３、少なくとも約０．４、または少なくとも約０．５）のｐＨを有することができる。理論に束縛されることを望むものではないが、１より高いｐＨを有するエッチング組成物は、十分なＡｌＯｘ、Ｗおよび／またはＴｉＮエッチング速度を有さないと考えられ、なぜなら、これらの材料を除去するためには十分に高い酸性度が必要だからであり、また、０より低いｐＨを有するエッチング組成物は、強い酸性度のために、組成物中の特定の成分を分解し得ると考えられる。
【００２８】
さらに、いくつかの実施形態では、本開示のエッチング組成物は、任意選択で、ｐＨ調整剤、追加の腐食防止剤、追加の界面活性剤、有機溶媒、殺生物剤、および消泡剤などの添加剤を含むことができる。適切な消泡剤の例としては、ポリシロキサン消泡剤（例えば、ポリジメチルシロキサン）、ポリエチレングリコールメチルエーテルポリマー、エチレンオキシド／プロピレンオキシドコポリマー、およびグリシジルエーテルキャップアセチレンジオールエトキシレート（例えば、本明細書中に参考として援用される米国特許第６，７１７，０１９号に記載されるもの）が挙げられる。適切な界面活性剤の例は、カチオン性、アニオン性、非イオン性または両性であり得る。
【００２９】
一般に、本開示のエッチング組成物は、比較的高いＷ／誘電体材料および／またはＴｉＮ／誘電体材料エッチング選択性（すなわち、誘電体材料エッチング速度に対するＷエッチング速度の高い比率、および／または誘電体材料エッチング速度に対するＴｉＮエッチング速度の高い比率）を有することができる。誘電体材料の例には、ＳｉＯ２、ＡｌＯｘ、高ｋ誘電体材料、および低ｋ誘電体材料が含まれる。いくつかの実施形態では、エッチング組成物は、少なくとも約２（例えば、少なくとも約３、少なくとも約４、少なくとも約５、少なくとも約６、少なくとも約７、少なくとも約８、少なくとも約９、少なくとも約１０、少なくとも約１５、少なくとも約２０、少なくとも約３０、少なくとも約４０、または少なくとも約５０）および／または最大で約５００（例えば、最大で約１００）のＷ／誘電体材料および／またはＴｉＮ／誘電体材料エッチング選択性を有することができる。
【００３０】
いくつかの実施形態では、本開示のエッチング組成物は、比較的高いＡｌＯｘ／Ｗおよび／またはＡｌＯｘ／ＴｉＮエッチング選択性（すなわち、Ｗエッチング速度に対するＡｌＯｘエッチング速度の高い比率および／またはＴｉＮエッチング速度に対するＡｌＯｘエッチング速度の高い比率）を有し得る。いくつかの実施形態では、エッチング組成物は、少なくとも約２（例えば、少なくとも約３、少なくとも約４、少なくとも約５、少なくとも約６、少なくとも約７、少なくとも約８、少なくとも約９、少なくとも約１０、少なくとも約１５、少なくとも約２０、少なくとも約３０、少なくとも約４０、または少なくとも約５０）および／または最大で約５００（例えば、最大で約２００または最大で約１００）のＡｌＯｘ／Ｗおよび／またはＡｌＯｘ／ＴｉＮエッチング選択性を有することができる。このようなエッチング組成物は、比較的大きな厚さを有するＡｌＯｘ層と、比較的小さな厚さを有するＷまたはＴｉＮ層と、を含む半導体に関連して使用するのに適している。
【００３１】
いくつかの実施形態では、本開示のエッチング組成物は、１種または複数種の添加剤成分を、複数種の場合は任意の組み合わせで、特に除外する（または実質的に含まない）ことができる。本明細書で使用される「実質的に含まない」という用語は、エッチング組成物の最大で約０．１％（例えば、最大で約０．０５％、最大で約０．０１％、最大で約０．００５％、最大で約０．００１％、または約０％）である成分の重量％を指す。このような除外される成分は、ポリマー、酸素捕捉剤、第四級アンモニウム塩（水酸化第四級アンモニウムを含む）、アミン、アルカリ塩基（ＮａＯＨ、ＫＯＨ、およびＬｉＯＨなど）、消泡剤以外の界面活性剤、消泡剤、フッ化物含有化合物、酸化剤（例えば、過酸化物、過酸化水素、硝酸第二鉄、ヨウ素酸カリウム、過マンガン酸カリウム、硝酸、亜塩素酸アンモニウム、塩素酸アンモニウム、ヨウ素酸アンモニウム、過ホウ酸アンモニウム、過塩素酸アンモニウム、過ヨウ素酸アンモニウム、過硫酸アンモニウム、テトラメチルアンモニウム亜塩素酸塩、テトラメチルアンモニウム塩素酸塩、テトラメチルアンモニウムヨウ素酸塩、過ホウ酸テトラメチルアンモニウム、過塩素酸テトラメチルアンモニウム、過ヨウ素酸テトラメチルアンモニウム、過硫酸テトラメチルアンモニウム、尿素過酸化水素、および過酢酸）、研磨剤（例えば、シリカまたはアルミナ研磨剤）、３つ以上のヒドロキシル基を含有するヒドロキシカルボン酸、カルボン酸およびポリカルボン酸（例えば、アミノ基を欠くもの）、スルホン酸、シラン（例えば、アルコキシシラン）、環状化合物（例えば、少なくとも２つの環を含有する環状化合物、例えば置換または非置換ナフタレン、または置換または非置換ビフェニルエーテル）、キレート剤、緩衝剤、非アゾール腐食防止剤、アゾール類（例えば、ジアゾール、トリアゾール、またはテトラゾール）、および塩（例えば、硫酸塩、スルホン酸塩、塩化物塩、硝酸塩、酢酸塩、リン酸塩、および金属ハロゲン化物、カリウム塩（例えば、硝酸カリウム）、ナトリウム塩、および銀塩などの金属塩）からなる群から選択される。
【００３２】
本開示のエッチング組成物は、成分を単に一緒に混合することによって調製することができ、またはキット中で２つの組成物をブレンドすることによって調製することができる。キット中の第１の組成物は、硝酸の水溶液であり得る。キット中の第２の組成物は、本開示のエッチング組成物の残りの成分を、２つの組成物のブレンドが本開示の所望のエッチング組成物を生じるように、濃縮された形態で所定の比率で含有することができる。
【００３３】
いくつかの実施形態では、本開示は、ＡｌＯｘ、Ｗおよび／またはＴｉＮを含む（例えば、ＡｌＯｘ、Ｗおよび／またはＴｉＮを含むことを特徴とする）半導体基板をエッチングする方法を特徴とする。方法は、ＡｌＯｘ、Ｗおよび／またはＴｉＮを含む半導体基板を本開示のエッチング組成物と接触させて、ＡｌＯｘ、Ｗおよび／またはＴｉＮを除去することを含む。接触は少なくとも約２０℃（例えば、少なくとも約２５℃、少なくとも約３０℃、少なくとも約４０℃、少なくとも約５０℃、または少なくとも約６０℃）および／または最大で約９５℃（例えば、最大で約９０℃、最大で約８０℃、または最大で約７０℃）の温度で行うことができる。方法は、接触工程の後に半導体基板をリンス溶媒でリンスすること、および／またはリンス工程の後に半導体基板を乾燥させることをさらに含むことができる。いくつかの実施形態では、方法は、半導体基板中のＣｕまたは誘電体材料（例えば、ＳｉＯ２）を実質的に除去しない。例えば、方法は、半導体基板中の約５重量％を超える（例えば、約３重量％を超える、または約１重量％を超える）Ｃｕまたは誘電体材料を除去しない。
【００３４】
いくつかの実施形態では、エッチング方法は、
（Ａ）ＡｌＯｘ、Ｗおよび／またはＴｉＮを含む半導体基板を提供する工程と、
（Ｂ）半導体基板を本明細書に記載のエッチング組成物と接触させる工程と、
（Ｃ）半導体基板を１種または複数種の適切なリンス溶媒でリンスする工程と、
（Ｄ）任意選択で、（例えば、リンス溶媒を除去し且つ半導体基板の完全性を損なわない任意の好適な手段によって）半導体基板を乾燥させる工程と、
を含む。
【００３５】
この方法でエッチングされるＡｌＯｘ、Ｗおよび／またはＴｉＮを含む半導体基板は有機および有機金属残留物、さらに、エッチングプロセス中に除去されてもよい一連の金属酸化物を含むことができる。
【００３６】
半導体基板は、典型的にはシリコン、シリコンゲルマニウム、ＧａＡｓなどのＩＩＩ−Ｖ族化合物、またはそれらの任意の組み合わせから構成される。半導体基板はさらに、相互接続特徴（例えば、金属線および誘電体材料）などの露出された集積回路構造を含むことができる。相互接続の特徴に使用される金属および金属合金にはアルミニウム、銅と合金化されたアルミニウム、銅、チタン、タンタル、コバルト、シリコン、窒化チタン、窒化タンタル、およびタングステンが含まれるが、これらに限定されない。また、半導体基板は、層間誘電体、酸化シリコン、窒化シリコン、炭化シリコン、酸化チタン、および炭素ドープシリコン酸化物の層を含んでもよい。
【００３７】
半導体基板は、エッチング組成物をタンク内に配置し、半導体基板をエッチング組成物内に浸漬および／または沈めること、半導体基板上にエッチング組成物を噴霧すること、半導体基板上にエッチング組成物をストリーミングすること、またはそれらの任意の組合せなどの任意の適切な方法によって、本明細書に記載のエッチング組成物と接触させることができる。
【００３８】
本開示のエッチング組成物は、室温（例えば、約２０〜２５℃）から約９５℃の温度（例えば、約５５℃〜約９５℃、約６０℃〜約９０℃、約６０℃〜約８０℃、または約７０℃）で有効に使用することができる。ＡｌＯｘ、Ｗおよび／またはＴｉＮのエッチング速度は一般に、この範囲で温度と共に増加し、したがって、より高い温度を有するプロセスをより短時間実行することができる。逆に、より低いエッチング温度は、典型的にはより長いエッチング時間を必要とする。いくつかの実施形態では、発明者らは、驚くべきことに、本開示に記載されるエッチング組成物は、ＷまたはＴｉＮエッチング速度の増加と比較して、高温（例えば、７０℃）でＡｌＯｘエッチング速度の著しく高い増加を有することができ、それによって、その温度で比較的高いＡｌＯｘ／ＷまたはＡｌＯｘ／ＴｉＮエッチング選択性をもたらすことを見出した。
【００３９】
エッチング時間は、使用される特定のエッチング方法、厚さ、および温度に応じて、広い範囲にわたって変化し得る。浸漬バッチ型プロセスでエッチングする場合、適切な時間範囲は例えば、約１０分まで（例えば、約１分〜約７分、約１分〜約５分、または約２分〜約４分）である。単一ウェーハプロセスのためのエッチング時間は、約３０秒〜約５分（例えば、約３０秒〜約４分、約１分〜約３分、または約１分〜約２分）の範囲であり得る。
【００４０】
本開示のエッチング組成物のエッチング能をさらに促進するために、機械的攪拌手段を使用することができる。好適な攪拌手段の例としては、基板上へのエッチング組成物の循環、基板上へのエッチング組成物のストリーミングまたはスプレー、およびエッチングプロセス中の超音波またはメガソニック攪拌が挙げられる。地面に対する半導体基板の配向は、任意の角度とすることができる。水平配向または垂直配向が好ましい。
【００４１】
エッチングに続いて、半導体基板は、攪拌手段を使用して又は使用せずに、約５秒から約５分間、適切なリンス溶媒でリンスすることができる。異なるリンス溶媒を使用する複数のリンス工程を使用することができる。適切なリンス溶媒の例としては、脱イオン（ＤＩ）水、メタノール、エタノール、イソプロピルアルコール、Ｎ−メチルピロリジノン、γ−ブチロラクトン、ジメチルスルホキシド、乳酸エチルおよびプロピレングリコールモノメチルエーテルアセテートが挙げられるが、これらに限定されない。あるいは、またはさらに、ｐＨ＞８の水性リンス（水酸化アンモニウム希釈水溶液など）を使用することができる。リンス溶媒の例としては、水酸化アンモニウム希釈水溶液、ＤＩ水、メタノール、エタノール、およびイソプロピルアルコールが挙げられるが、これらに限定されない。リンス溶媒は、本明細書に記載されたエッチング組成物を適用する際に使用されるものと同様の手段を使用して適用することができる。エッチング組成物は、リンス工程の開始前に半導体基板から除去されていてもよいし、リンス工程の開始時に半導体基板に依然として接触していてもよい。いくつかの実施形態では、リンス工程で使用される温度は、１６℃〜２７℃である。
【００４２】
任意選択的に、半導体基板は、リンス工程の後に乾燥される。当技術分野で公知の任意の好適な乾燥手段を使用することができる。好適な乾燥手段の例としては、スピン乾燥、半導体基板を横切る乾燥気体の流動、またはホットプレートもしくは赤外線灯などの加熱手段で半導体基板を加熱すること、マラゴニ乾燥、ロタゴニ乾燥、ＩＰＡ乾燥、またはそれらの任意の組み合わせが挙げられる。乾燥時間は、使用される特定の方法に依存するが、典型的には３０秒から数分のオーダーである。
【００４３】
いくつかの実施形態では、本明細書に記載されるエッチング方法は、さらに、上述の方法によって得られた半導体基板から半導体デバイス（例えば、半導体チップなどの集積回路デバイス）を形成することを含む。
【００４４】
本開示は以下の実施例を参照してより詳細に例示されるが、これらは例示の目的のためであり、本開示の範囲を限定するものとして解釈されるべきではない。
【実施例】
【００４５】
列挙したパーセンテージは、特に明記しない限り、重量（重量％）によるものである。試験中の制御された攪拌は、特に断らない限り、３００ｒｐｍで１インチ攪拌バーを用いて行った。
【００４６】
一般手順１
配合ブレンド
【００４７】
エッチング組成物のサンプルは、計算された量の水に配合物の残りの成分を攪拌しながら添加することによって調製した。均一な溶液が得られた後、任意選択の添加剤（使用する場合）を添加した。
【００４８】
一般手順２
材料及び方法
【００４９】
評価用０．５”×０．５”テストクーポンにダイシングした市販のパターンなし３００ｍｍ直径ウエハを用いて、フィルム上のブランケットフィルムエッチング速度測定を行った。試験に使用される主なブランケットフィルム材料には、１）シリコン基板上に堆積された厚さ約１０００ÅのＷフィルム、２）シリコン基板上に堆積された厚さ約１０００ÅのＴｉＮフィルム、３）シリコン基板上の１０００ÅのＳｉＯ２上に堆積された厚さ約２５０ÅのＨｆＯｘフィルム、４）シリコン基板上の１０００ÅのＳｉＯ２上に堆積された厚さ約２５０ÅのＡｌＯｘフィルムが含まれる。
【００５０】
ブランケットフィルム試験クーポンを、処理前および処理後の厚さについて測定して、ブランケットフィルムエッチング速度を決定した。ＷおよびＴｉＮ金属ブランケットフィルムについては、ＣＤＥ  Ｒｅｓｉｍａｐ  ２７３、４点プローブを用いてシート抵抗によりフィルム厚を測定した。ＨｆＯｘおよびＡｌＯｘフィルムについては、Ｗｏｏｌｌａｍ  Ｍ−２０００Ｘを用いたＥｌｌｉｐｓｏｍｅｔｒｙにより処理前および処理後にフィルム厚を測定した。
【００５１】
一般手順３
ビーカー試験によるエッチング評価
【００５２】
全てのブランケットフィルムエッチング試験は、蒸発損失を最小限にするために、パラフィルム（Ｐａｒａｆｉｌｍ）（登録商標）カバーを常に所定の位置に置いた状態で、２５０ｒｐｍで継続的に攪拌しながら、２００ｇのサンプル溶液を含む６００ｍｌのガラスビーカー中で室温（２１〜２３℃；以下特に明記しない限り）で実施した。片側がサンプル溶液に露出するブランケット金属または誘電体フィルムを有するすべてのブランケット試験クーポンを、ダイヤモンドスクライブによって、ビーカースケール試験用の０．５”×０．５”平方の試験クーポンサイズにダイスカットし、個々の試験クーポンを、単一の４”長さの固定プラスチックピンセットクリップを使用して所定の位置に保持した。固定ピンセットクリップによって一方の縁部に保持された試験クーポンを６００ｍＬのガラスビーカーに吊り下げ、２００ｇの試験溶液に浸漬し、その間、溶液を室温で２５０ｒｐｍで連続的に攪拌した。各サンプルクーポンを攪拌溶液中に入れた直後に、６００ｍＬガラスビーカーの頂部を、Ｐａｒａｆｉｌｍ（登録商標）で覆い、再密封した。処理時間（一般手順３Ａに記載の通り）が経過するまで、試験クーポンを攪拌溶液中で静止状態に保持した。試験溶液中での処理時間が経過した後、サンプルクーポンを６００ｍＬガラスビーカーから直ちに取り出し、一般手順３Ａに従ってリンスした。最後のＤＩリンス工程の後、全ての試験クーポンを、手持ち式窒素ガス送風機を使用して濾過窒素ガス吹き出し工程にかけ、これにより、全ての痕跡量のＤＩ水を強制的に除去して、試験測定のための最終乾燥サンプルを作製した。
【００５３】
一般手順３Ａ（ブランケット試験クーポン）
【００５４】
一般手順３に従った１０分の処理時間の直後に、試験クーポンを１０００ｍｌ容量の超高純度脱イオン（ＤＩ）水中に２０℃で約１リットル／分の溢流速度で３０秒間浸漬し、次いで穏やかに攪拌しながらさらに３０秒間浸漬した。一般手順３に従って処理を完了した。
【００５５】
実施例１
【００５６】
配合例１〜４（ＦＥ−１〜ＦＥ−４）を一般手順１に従って調製し、一般手順２および３に従って評価した。配合物および試験結果を表１にまとめる。
【００５７】
【表１】
2022502835.tif 000004
【００５８】
表１に示すように、ＦＥ−２は、水量がＦＥ−１からＦＥ−２に増加するにつれて、ＦＥ−１と比較して、改良されたＴｉＮおよびＷエッチング速度を示した。さらに、硝酸の量がＦＥ−２からＦＥ−４に増加するにつれて、ＴｉＮおよびＷのエッチング速度も増加した。
【００５９】
実施例２
【００６０】
配合例５〜８（ＦＥ−５〜ＦＥ−８）を一般手順１に従って調製し、一般手順２および３に従って評価した。配合物および試験結果を表２にまとめる。
【００６１】
【表２】
2022502835.tif 000005
【００６２】
表２に示すように、水の量がＦＥ−５からＦＥ−８に増加すると、ＴｉＮおよびＷエッチング速度も増加した。
【００６３】
実施例３
【００６４】
配合例９〜１２（ＦＥ−９〜ＦＥ−１２）を一般手順１に従って調製し、一般手順２および３に従って評価した。配合物および試験結果を表３にまとめる。
【００６５】
【表３】
2022502835.tif 000006
【００６６】
表３に示すように、硝酸が存在しない場合、ＦＥ−９は非常に低いＴｉＮおよびＷエッチング速度を示した。さらに、硝酸の量がＦＥ−１０からＦＥ−１１に増加するにつれて、ＴｉＮおよびＷのエッチング速度も増加した。さらに、水量がＦＥ−１１からＦＥ−１２に減少すると、ＴｉＮおよびＷエッチング速度は減少した。
【００６７】
本発明はその特定の実施形態を参照して詳細に説明されてきたが、修正および変形は、説明され特許請求されるものの精神および範囲内であることが理解されるであろう。
【００６８】
実施例４
【００６９】
配合例１３〜１９（ＦＥ−１３〜ＦＥ−１９）を一般手順１に従って調製し、一般手順２および３に従って評価した。配合物および試験結果を表４にまとめる。
【００７０】
【表４】
2022502835.tif 000007
【００７１】
表４に示すように、Ｓｂ量がＦＥ−１３からＦＥ１６に増加すると、ＨｆＯｘエッチング速度は減少した。また、Ｓｂの量が１００ｐｐｂよりも多いか（ＦＥ−１７）または１ｐｐｂよりも少ない（ＦＥ−１８中）場合、配合物は比較的高いＨｆＯｘエッチング速度を示した。理論に束縛されることを望むものではないが、ＳｂはＨｆＯｘ表面上に不溶性パッシベーション層を形成することができ、それによって、エッチングプロセス中にそのエッチング速度を低下させると考えられる。
【００７２】
実施例５
【００７３】
配合例２０〜２７（ＦＥ−２０〜ＦＥ−２７）を一般手順１に従って調製し、一般手順２および３に従って評価した。配合物および試験結果を表５にまとめる。ＦＥ−２の配合物および試験結果もまた、比較として表５に含まれる。
【００７４】
【表５】
2022502835.tif 000008
【００７５】
表５に示すように、特定の添加剤（例えば、金属腐食防止剤およびアルミニウムエッチング界面活性剤）を添加した場合、ＴｉＮ／Ｗエッチング速度の比は改善され、１に近くなった。
【００７６】
実施例６
【００７７】
配合例２８〜３２（ＦＥ−２８〜ＦＥ−３２）を一般手順１に従って調製し、一般手順２および３に従って評価した。配合物および試験結果を表６にまとめる。
【００７８】
【表６】
2022502835.tif 000009
【００７９】
異常なエッチングに関する評価（スピアヘッド）：
１．スピアヘッドなし（１％未満）
２．わずかなスピアヘッド（３％未満）
３．ある程度のスピアヘッド（５％未満）
４．ひどいスピアヘッド（１０％超）
【００８０】
表６に示すように、０．５ミクロンサイズの粒子が存在し、それらの量が増加した場合、配合物は、スピアヘッド等の異常なエッチングの減少を示した。
【００８１】
実施例７
【００８２】
配合例３３〜３９（ＦＥ−３３〜ＦＥ−３９）を一般手順１に従って調製し、一般手順２および３に従って評価した。配合物および試験結果を表７にまとめる。ＦＥ−２の配合物および試験結果もまた、比較として表７に含まれる。
【００８３】
【表７】
2022502835.tif 000010
【００８４】
表７に示すように、スピアヘッドを制御するには、Ｈ３ＰＯ４、ＨＮＯ３およびＨＡｃの重量パーセンテージが重要である。
【００８５】
比較例
【００８６】
比較配合例ＣＦＥ−１〜ＣＦＥ−６を一般手順１に従って調製し、一般手順２および３に従って評価した。配合物および試験結果を表８にまとめる。ＦＥ−２の配合物および試験結果もまた、比較として表８に含まれる。
【００８７】
【表８】
2022502835.tif 000011
【００８８】
表８に示すように、（１）Ｈ３ＰＯ４の重量パーセンテージが９０％超または６５％未満（ＣＦＥ−１およびＣＦＥ−２参照）、（２）ＨＮＯ３の重量パーセンテージが０．０１％未満および５％超（ＣＦＥ−３およびＣＦＥ−４参照）、ならびに（３）ＨＡｃの重量パーセンテージが０．０１％未満および４％超（ＣＦＥ−５およびＣＦＥ−６参照）の場合、異常なエッチング率が悪かった。
【００８９】
実施例８
【００９０】
配合例４０〜５７（ＦＥ−４０〜ＦＥ−５７）を一般手順１に従って調製し、一般手順２および３に従って評価した。エッチング試験は７０℃で行った。配合物および試験結果を表９にまとめる。
【００９１】
【表９】
2022502835.tif 000012
【００９２】
表９に示すように、ＦＥ−４０〜ＦＥ−５７は、７０℃のエッチング温度において、高いＡｌ２Ｏ３／ＷおよびＡｌ２Ｏ３／ＴｉＮのエッチング選択性と共に、高いＡｌ２Ｏ３エッチング速度を示した。
【００９３】
実施例９
【００９４】
配合例５８（ＦＥ−５８）を一般手順１に従って調製し、一定時間（すなわち、１時間、４時間、８時間、または２４時間）エイジングした後、異なるエッチング温度（すなわち、２５℃、５０℃、および７０℃）で一般手順２および３に従って評価した。ＦＥ−５８は、７４重量％のリン酸、０．５重量％の酢酸、０．５重量％の硝酸、および２５重量％の水を含有した。試験結果を表１０にまとめる。
【００９５】
【表１０】
2022502835.tif 000013
【００９６】
表１０に示すように、エッチング温度を２５℃から７０℃に増加させると、試験した３つの材料（すなわち、Ｗ、Ａｌ２Ｏ３、およびＴｉＮ）すべてのエッチング速度が増加した。また、２５℃から７０℃へのエッチング温度の上昇は、ＷおよびＴｉＮエッチング速度よりもＡｌ２Ｏ３エッチング速度においてより大きな上昇をもたらし、その結果、より高いＡｌ２Ｏ３／ＷおよびＡｌ２Ｏ３／ＴｉＮエッチング選択性をもたらした。
【国際調査報告】
2022502835.tif 000015
2022502835.tif 000016